(57)【要約】【課題】読取装置のサッカー台における配置位置を簡易な作業で変更でき利便性を向上させる。【解決手段】一人制および複数人制の販売形態で使用されるチェックアウトカウンタにおいて、商品が載置される荷受面１１を有するサッカー台１と、サッカー台１の荷受面１１上または荷受面１１に対して略平行な面上を、商品販売作業の流れに沿う方向にスライド自在に備えられ、商品に付されたバーコードを読み取る縦型スキャナ２と、縦型スキャナ２に対して一体的に動くように設けられ、商品販売作業の流れにおける上流側への縦型スキャナ２の移動に連動してサッカー台１の端面から突出して荷受面１１と略同一平面を構成する補助部材３と、を備えることを特徴とする。【選択図】        図１
2010044554.tif 000002
【特許請求の範囲】
【請求項１】
商品が載置される荷受面を有する商品荷受台と、
前記商品荷受台の前記荷受面上または前記荷受面に対して略平行な面上を、商品販売作業の流れに沿う方向にスライド自在に備えられ、前記商品に付された識別コードを読み取る読取装置と、
前記読取装置に対して一体的に動くように設けられ、前記商品販売作業の流れにおける上流側への前記読取装置の移動に連動して前記商品荷受台の端面から突出して前記荷受面と略同一平面を構成する補助部材と、
を備えることを特徴とするチェックアウトカウンタ。
【請求項２】
前記商品販売作業の流れにおける前記上流側への前記読取装置の移動に従って各々回転して、前記補助部材の移動を補助する複数の回転ローラを備えることを特徴とする請求項１に記載のチェックアウトカウンタ。
【請求項３】
前記商品荷受台の端面から突出した前記補助部材を、前記補助部材上の前記商品の重量に抗して前記荷受面と略同一平面に位置付ける支持部材をさらに備えることを特徴とする請求項１または２に記載のチェックアウトカウンタ。
【請求項４】
前記支持部材は、前記補助部材に設けられていて、前記補助部材から前記商品荷受台の設置面方向に延出する部材であることを特徴とする請求項３記載のチェックアウトカウンタ。
【請求項５】
前記支持部材は、前記読取装置の前記商品販売作業の流れにおける下流側への移動に連動して最下流位置まで移動して、前記商品荷受台に対して略一体的に位置付けられることを特徴とする請求項４記載のチェックアウトカウンタ。
【請求項６】
前記支持部材は、前記補助部材と前記商品荷受台の前記上流側の端面とを接続する部材であることを特徴とする請求項３記載のチェックアウトカウンタ。
【請求項７】
前記支持部材は、前記補助部材と前記商品荷受台とに対して着脱自在であることを特徴とする請求項６記載のチェックアウトカウンタ。
【請求項８】
前記補助部材を所定間隔ずつ移動させて位置決め可能な位置決め部材をさらに備えることを特徴とする請求項１〜７に記載のチェックアウトカウンタ。
【発明の詳細な説明】
【技術分野】
【０００１】
本発明は、スーパーマーケット等で販売時に利用されるチェックアウトカウンタに関する。
【背景技術】
【０００２】
近年、スーパーマーケット等の店舗では、販売業務を効率的に行なうために、顧客の移動方向と平行に細長い長方形状のサッカー台を設置し、このサッカー台上に顧客が持ち寄る購入商品を入れた買物カゴを載置させ、オペレータが販売登録作業を行ないながら順次移送するチェックアウトシステムが一般化している。この場合、サッカー台に対して、バーコード情報の読み取り等の販売登録作業を行なうバーコードスキャナのようなスキャナユニットと、金銭の授受等の決済作業を行なうＰＯＳ（Point  Of  Sales）端末のような決済ユニットとが別機器として配設される（例えば、特許文献１参照）。
【０００３】
【特許文献１】特開平６−１０３４６２号公報
【発明の開示】
【発明が解決しようとする課題】
【０００４】
しかしながら、上記店舗などでは、時間帯によって顧客の人数が異なるため、店舗があまり混雑していない場合には、商品に付されたバーコードの読取り業務および会計業務を一人のオペレータが行う一人制の販売形態で業務を遂行するが、店舗が混雑した場合には、例えば、バーコード読取り業務と会計業務を二人のオペレータが行う二人制の販売形態で業務を遂行する場合がある。
【０００５】
例えば、一人制から二人制の販売形態に変更する場合、従来のチェックアウトシステムでは、図１５に示すように、ＰＯＳ端末３００とバーコードスキャナ２００との距離を広げることにより、二人のオペレータがＰＯＳ端末３００、バーコードスキャナ２００のそれぞれの前に立つことが可能な領域を確保していた。このように、販売形態を変更する場合には、ＰＯＳ端末３００および該端末が載せられている端末台４００ごと移動させるか、バーコードスキャナ２００およびバーコードスキャナ２００を備えたサッカー台１００ごと移動させなければならず、利用者には大きな負担となっていた。
【０００６】
本発明は、上記に鑑みてなされたものであって、一人制から二人制の販売形態に変更する場合、利便性を向上させるチェックアウトカウンタを提供することを目的とする。
【課題を解決するための手段】
【０００７】
上述した課題を解決し、目的を達成するために、本発明は、商品が載置される荷受面を有する商品荷受台と、前記商品荷受台の前記荷受面上または前記荷受面に対して略平行な面上を、商品販売作業の流れに沿う方向にスライド自在に備えられ、前記商品に付された識別コードを読み取る読取装置と、前記読取装置に対して一体的に動くように設けられ、前記商品販売作業の流れにおける上流側への前記読取装置の移動に連動して前記商品荷受台の端面から突出して前記荷受面と略同一平面を構成する補助部材と、を備えることを特徴とするチェックアウトカウンタである。
【発明の効果】
【０００８】
本発明によれば、一人制から二人制の販売形態に変更する場合、読取装置を商品販売作業の流れにおける上流側へ移動させるとともに、該読取装置の移動に連動して補助部材を商品荷受台から突出させて荷受面と略同一平面を構成することで、二人のオペレータが立つことが可能な領域、および商品を載置する領域を確保でき、読取装置の商品荷受台における配置位置を簡易な作業で変更でき利便性を向上させることができるという効果を奏する。
【０００９】
また、本発明によれば、複数の回転ローラの回転により補助部材の移動の際の摩擦を低減することができるので、読取装置および補助部材の移動にかかる力を軽減することができる。
【００１０】
また、本発明によれば補助部材上に載置された商品の重さにより補助部材が傾いたり破損することを防止できる。
【００１１】
また、本発明によれば、二人制から一人制の販売形態に変更する場合、読取装置を移動させるとともに、支持部材が読取装置の移動に連動して最下流位置まで移動して、商品荷受台に対して略一体的に位置付けられることで、一人制の販売形態で使用する場合に、補助部材および支持部材がオペレータの作業の邪魔になることを回避することができる。
【発明を実施するための最良の形態】
【００１２】
以下に添付図面を参照して、この発明にかかるチェックアウトカウンタの最良な実施の形態を詳細に説明する。このチェックアウトカウンタは、スーパーマーケット等の店舗における商品の販売時に使用されるものであり、一人制および二人制などの複数人制の販売形態で使用される。なお、以下の実施の形態では、一人制および二人制の販売形態について説明する。
【００１３】
（実施の形態１）
図１、２は、実施の形態１にかかるチェックアウトカウンタの一例を示す外観図である。図１、２に示すように、本実施の形態のチェックアウトカウンタは、長方形状のサッカー台１と、サッカー台１の中央付近から立設された縦型スキャナ（バーコードスキャナ）２と、サッカー台１の内部に引き出し、収容可能な補助部材３と、を主に備えている。また、図１は、一人制の販売形態で使用される状態を示したチェックアウトカウンタであり、補助部材３がサッカー台１の内部に収容された状態となっている。一方、図２は、二人制の販売形態で使用される状態を示したチェックアウトカウンタであり、補助部材３がサッカー台１の内部から挿出されて突出した状態となっている。
【００１４】
サッカー台１は、顧客が持ち寄って購入する商品、または該商品が納められた買物カゴを載置する荷受面１１と、オペレータ側の側面１３と、側面１３の向かい側の面である顧客側の側面（不図示）と、商品販売作業の流れに沿う方向における上流側の端面１２と、端面１２の向かい側の面である下流側の端面（不図示）と、それらを支持する４本の脚１４と、縦型スキャナ２および補助部材３を支持する支持面（荷受面に対して略平行な面）を有する板状部材１６（図３参照）とから構成された直方体形状の商品荷受台である。なお、図１、２における手前側がオペレータ側であり、奥側が顧客側となっている。
【００１５】
ここで、商品販売作業の流れに沿う方向について説明する。商品が販売される場合には、まず、商品または商品が納められた買物カゴがサッカー台１における補助部材３側（端面１２側）の荷受面１１上に載置される。そして、載置された商品または買物カゴに納められた商品は、縦型スキャナ２により販売に関する所定の処理が施されて、サッカー台１における補助部材３側と反対側の荷受面１１上に載置される。つまり、本実施の形態では、商品が図１、２における右から左に移行されるため、商品販売作業の流れに沿う方向とは、図１、２における左右方向となる。
【００１６】
また、サッカー台１における荷受面１１の顧客側の中央付近には、略長方形状の孔部１ａが形成されており、この孔部１ａを介して縦型スキャナ２が立設されている。また、サッカー台１における端面１２の上部、すなわち端面１２における荷受面１１近傍には、補助部材３を引き出したり、収容する収容口が形成されている。
【００１７】
縦型スキャナ２は、補助部材３に固定され、サッカー台１の顧客側の孔部１ａを介して立設しており、サッカー台１の荷受面１１に対して略平行な面上を商品販売作業の流れに沿う方向、すなわち図１、２における左右方向に移動可能（スライド自在）に設けられている。縦型スキャナ２の移動については、後述する。
【００１８】
また、縦型スキャナ２は、商品に付された商品データとしてのバーコード（コードシンボル）の情報を読み取るものである。具体的には、縦型スキャナ２は、オペレータに対面する前面（立設面）に読取窓２１を有しており、この読取窓２１から出射されたレーザ光等が商品のバーコード上で反射し、その反射光を再び読取窓２１から入射させて受光部（図示せず）で受光することで、バーコードを読み取る。また、縦型スキャナ２のオペレータ側の荷受面１１は、縦型スキャナ２に干渉することなく買物カゴが通過できる領域が確保されている。
【００１９】
補助部材３は、サッカー台１の商品販売作業の流れにおける上流側が板状に形成されており、その板状の面を商品または買物カゴを載置する荷受面として使用することができ、縦型スキャナ２を固定することで、縦型スキャナ２の移動に連動して一体的に移動するものである。一人制の販売形態では、図１に示すように、補助部材３が内部に収容された状態のサッカー台１を使用する。
【００２０】
そして、オペレータが縦型スキャナ２を押すまたは引くことにより、縦型スキャナ２を商品販売作業の流れにおける上流側へ移動させると、その移動に連動して補助部材３も同様に上流側に移動し、サッカー台１の端面１２から突出した補助部材３は、荷受面１１と略同一平面を構成する（図２参照）。二人制の販売形態では、図２に示すように、サッカー台１の荷受面１１とともに、補助部材３の突出した部分の上面を荷受面として使用する。また、オペレータが縦型スキャナ２を押すまたは引くことにより、縦型スキャナ２を商品販売作業の流れにおける下流側へ移動させると、その移動に連動して補助部材３も同様に下流側に移動し、補助部材３は、サッカー台１の端面１２から内部に挿入されて収容される（図１参照）。
【００２１】
ここで、補助部材３について説明する。図３は、実施の形態１にかかるチェックアウトカウンタの一例を示す断面図である。図４は、実施の形態１にかかるチェックアウトカウンタの一例を示す上面図である。
【００２２】
図３、４に示すように、補助部材３は、荷受部材３１と、接続部材３４と、固定部材３５とにより主に構成されており、上述のように縦型スキャナ２の移動に連動して移動するものである。
【００２３】
固定部材３５は、上面開口のボックス状に形成された部材であって、縦型スキャナ２の底面付近を固定することで、縦型スキャナ２を立設させるものである。また、固定部材３５は、回転ローラ３６、３７を備えている。このような固定部材３５は、商品販売作業の流れにおける上流側において接続部材３４と連結されている。
【００２４】
接続部材３４は、上述のように一端で固定部材３５に連結され、他端で荷受部材３１と連結することで、固定部材３５と荷受部材３１とを接続している。
【００２５】
荷受部材３１は、複数の回転ローラ３３を備えており、その複数の回転ローラ３３が配置された下面が開口されたボックス状に形成された部材であって、商品販売作業の流れにおける下流側において接続部材３４と連結しており、補助部材３が上流側に移動した場合に荷受面として使用されるものである。
【００２６】
このように、固定部材３５と荷受部材３１は、接続部材３４を介して連結され、固定部材３５には縦型スキャナ２が固定されているため、縦型スキャナ２と補助部材３とは一体に移動可能となっている。
【００２７】
回転ローラ３６、３７は、縦型スキャナ２が商品販売作業の流れにおける上流側に移動した場合には、該移動に連動して時計回りに回転することになる。このような回転ローラ３６、３７は、回転することにより補助部材３の移動にかかる力を軽減させ、補助部材３の上流側への移動を補助するものである。また、回転ローラ３６、３７は、縦型スキャナ２が下流側に移動した場合には、該移動に連動して反時計回りに回転することになる。このような回転ローラ３６、３７は、上記と同様、回転することにより補助部材３の移動にかかる力を軽減させ、補助部材３の下流側への移動を補助するものである。
【００２８】
複数の回転ローラ３３は、荷受部材３１に回転可能に設けられたローラであり、図５に示すように、荷受部材３１の内部に並列配置されている。回転ローラ３３は、縦型スキャナ２が商品販売作業の流れにおける上流側に移動した場合には、該移動に連動して時計回りに各々回転することになる。このような複数の回転ローラ３３は、回転することにより補助部材３の移動にかかる力を軽減させ、補助部材３の上流側への移動を補助するものである。また、回転ローラ３３は、縦型スキャナ２が下流側に移動した場合には、該移動に連動して反時計回りに各々回転することになる。このような複数の回転ローラ３３は、上記と同様、回転することにより補助部材３の移動にかかる力を軽減させ、補助部材３の下流側への移動を補助するものである。
【００２９】
また、図６に示すように、荷受部材３１の下面であって、複数の回転ローラ３３の間には、金属で形成され、矢印Ａ方向の切断面が略円弧形状となる板状のストッパー３９が備えられており、このストッパー３９は、端部３９ａは固定されていない自由端であり、端部３９ｂが固定された固定端となっている。なお、図６における矢印Ａ方向は、商品販売作業の流れにおける上流側に向かう方向である。そして、ストッパー３９は、略円弧状に湾曲した中央付近に対して上方向の押圧力が加えられることにより、ストッパー３９が変形して湾曲部分が荷受部材３１の内部に収容され、該押圧力が加わらなくなると元に戻るバネ形状になっている。一方、図４および図６に示すように、図３に示すサッカー台１の板状部材１６の上面におけるストッパー３９が当接する位置には、商品販売作業の流れに沿う方向に凹凸形状に形成されたストッパー受け部３８が形成されている。
【００３０】
そして、ストッパー３９の略円弧形状の湾曲部分と、ストッパー受け部３８に形成された凹状部分とを係合させることで、補助部材３が矢印Ａ方向に移動する際には、補助部材３の移動速度を減速させて補助部材３を所定間隔ずつ移動させることができ、補助部材３を所定の場所に留めて位置決めすることができる。
【００３１】
本実施の形態では、複数の回転ローラ３３が荷受部材３１に設けられた構成となっているが、これに限定されることはない。すなわち、図３のサッカー台１の板状部材１６に設けられ、縦型スキャナ２の移動に連動して補助部材３の移動を補助する構成としてもよい。
【００３２】
なお、チェックアウトカウンタの近傍には、図１、２には図示していないが、従来技術において説明したＰＯＳ端末および端末台が備えられている（図１５参照）。そして、縦型スキャナ２で商品のバーコードを読み取った後、読み取ったデータがＰＯＳ端末に送信され、ＰＯＳ端末において会計処理が行われることになる。
【００３３】
以上のように構成されたチェックアウトカウンタにおいて、縦型スキャナ２とＰＯＳ端末との両方を一人のオペレータが操作する一人制の販売形態を採用した場合について、図１を参照して説明する。本実施の形態においては、一人制の販売形態を採る場合には、縦型スキャナ２がサッカー台１の孔部１ａの商品販売作業の流れにおける下流側（左側）に設けられ、かつ補助部材３がサッカー台１の内部に収容された状態で、縦型スキャナ２とＰＯＳ端末とを一人のオペレータに操作させる。
【００３４】
まず、一人制の販売形態においては、オペレータは、サッカー台１の荷受面１１の商品販売作業の流れにおける下流側、すなわちＰＯＳ端末（不図示）側に、空の買物カゴを置き、縦型スキャナ２の読取窓２１に正対する位置で待機している。このような状態で、顧客がサッカー台１の荷受面１１の商品販売作業の流れにおける上流側に商品が納められた買物カゴを載置する。
【００３５】
次に、オペレータは、顧客が載置した買物カゴから商品を順次取り出し、縦型スキャナ２によるバーコード情報の読み取りや、操作部（不図示）からの入力作業による買物カゴ内の商品の販売登録処理を行なう。販売登録処理が終了した商品は、オペレータによってＰＯＳ端末の近傍の空の買物カゴに投入される。以上の処理は、顧客が載置した買物カゴから商品がなくなるまで繰り返される。
【００３６】
この時、上述のようにして販売登録処理されたデータは、ＰＯＳ端末に順次伝送されて処理されているので、顧客が載置した買物カゴの全ての商品の販売登録処理と買物カゴ間の移送とを完了したオペレータは、ＰＯＳ端末において決済処理を実行する。そして、オペレータは、金銭の収納及び釣り銭の取り出しを行ない、レシートと買上げ商品が入った買物カゴとを釣り銭とともに顧客に引き渡し、取引を終了する。
【００３７】
一人の顧客との取引が終了すると、オペレータは、前の顧客が載置した買物カゴをＰＯＳ端末の近傍に移し、次の顧客を受け付けるために縦型スキャナ２の読取窓２１に正対する位置で待機する。
【００３８】
次に、一人制から二人制への販売形態の変更動作について、図１、２を参照して説明する。一人制から二人制へ販売形態を変更する場合、まず、オペレータ等が、例えば図１における縦型スキャナ２を矢印Ａ方向（商品販売作業の流れにおける上流側へ向かう方向）に押すまたは引くことで、縦型スキャナ２を矢印Ａ方向に移動させていき、サッカー台１の孔部１ａの端部に至るまで移動させる。これにより、ＰＯＳ端末と縦型スキャナ２の間隔が広くなるため、二人のオペレータが立つことが可能な領域を確保することができる。
【００３９】
そして、縦型スキャナ２が移動すると、縦型スキャナ２が固定されて一体となっている補助部材３は、縦型スキャナ２の移動に連動して矢印Ａ方向に移動する。このとき、回転ローラ３３（図３参照）は、縦型スキャナ２の移動に連動して回転することにより補助部材３の移動を補助する。補助部材３が矢印Ａ方向に移動すると、サッカー台１に収容されていた補助部材３が、サッカー台１の上流側の端面１２から突出する。このとき、突出した補助部材３は、サッカー台１の荷受面１１と略同一平面を構成するため、補助部材３の突出部分を荷受面１１と同様に、商品または買物カゴを載置できる領域として確保することができる。
【００４０】
次に、縦型スキャナ２とＰＯＳ端末との両方を二人のオペレータが操作する二人制の販売形態を採用した場合について、図２を参照して説明する。本実施の形態においては、二人制の販売形態を採る場合には、縦型スキャナ２がサッカー台１の孔部１ａの商品販売作業の流れにおける上流側（右側）に設けられ、かつ補助部材３がサッカー台１から突出した状態で、縦型スキャナ２とＰＯＳ端末とをそれぞれのオペレータに操作させる。
【００４１】
まず、二人制の販売形態においては、一人目のオペレータは、サッカー台１の荷受面１１の商品販売作業の流れにおける下流側、すなわちＰＯＳ端末（不図示）側に、空の買物カゴを置き、縦型スキャナ２の読取窓２１に正対する位置で待機している。また二人目のオペレータは、ＰＯＳ端末に正対する位置で同じく待機している。このような状態で、顧客がサッカー台１から突出した補助部材３の上面（荷受面）に商品が納められた買物カゴを載置する。
【００４２】
次に、一人目のオペレータは、顧客が載置した買物カゴから商品を順次取り出し、縦型スキャナ２によるバーコード情報の読み取りや操作部（不図示）からの入力作業による買物カゴ内の商品の販売登録処理を行なう。販売登録処理が終了した商品は、一人目のオペレータによってＰＯＳ端末の近傍の空の買物カゴに投入される。以上の処理は、顧客が載置した買物カゴから商品がなくなるまで繰り返される。
【００４３】
この時、上述のようにして販売登録処理されたデータは、ＰＯＳ端末に順次伝送されて処理されているので、一人目のオペレータにより顧客が載置した買物カゴの全ての商品の販売登録処理と買物カゴ間の移送とが完了されると、二人目のオペレータは、ＰＯＳ端末において決済処理を実行する。そして、二人目のオペレータは、金銭の収納及び釣り銭の取り出しを行ない、レシートと買上げ商品が入った買物カゴとを釣り銭とともに顧客に引き渡し、取引を終了する。
【００４４】
一人の顧客との取引が終了すると、一人目のオペレータは、前の顧客が載置した買物カゴをＰＯＳ端末の近傍に移し、次の顧客を受け付けるために縦型スキャナ２の読取窓２１に正対する位置で待機する。同じく二人目のオペレータもＰＯＳ端末に正対する位置で待機する。
【００４５】
次に、二人制から一人制への販売形態の変更動作について、図１、２を参照して説明する。二人制から一人制へ販売形態を変更する場合、まず、オペレータ等が、例えば図１における縦型スキャナ２を矢印Ａ方向と反対方向に押すまたは引くことで、縦型スキャナ２を矢印Ａ方向と反対方向に移動させていき、サッカー台１の孔部１ａの端部に至るまで移動させる。これにより、ＰＯＳ端末と縦型スキャナ２の間隔が狭くなるため、一人のオペレータが立って作業が行い易い領域のみ確保することができる。
【００４６】
そして、縦型スキャナ２が移動すると、縦型スキャナ２が固定されて一体となっている補助部材３は、縦型スキャナ２の移動に連動して矢印Ａ方向と反対方向に移動する。このとき、回転ローラ３３（図３参照）は、縦型スキャナ２の移動に連動して回転することにより補助部材３の移動を補助する。補助部材３が矢印Ａ方向と反対方向に移動すると、サッカー台１の端部１２から突出していた補助部材３が、サッカー台１の内部に収容される。これにより、補助部材３がオペレータの作業の邪魔になることを回避できる。
【００４７】
このように、実施の形態１のチェックアウトカウンタは、一人制から二人制の販売形態に変更する場合、縦型スキャナ２を商品販売作業の流れにおける上流側へ移動させるとともに、縦型スキャナ２の移動に連動して補助部材３をサッカー台１から突出させて荷受面１１を略同一平面を構成することで、二人のオペレータが立つことが可能な領域、および商品を載置する領域を確保でき、縦型スキャナ２のサッカー台１における配置位置を簡易な作業で変更でき利便性を向上させることができる。また、実施の形態１のチェックアウトカウンタは、複数の回転ローラ３３の回転により補助部材３の移動の際の摩擦を低減することができるので、縦型スキャナ２および補助部材３の移動にかかる力を軽減することができる。
【００４８】
また、実施の形態１のチェックアウトカウンタは、二人制から一人制の販売形態に変更する場合、縦型スキャナ２を商品販売作業の流れにおける下流側に移動させるとともに、縦型スキャナ２の移動に連動して補助部材３がサッカー台１に収容されることで、一人制の販売形態で使用する場合に、補助部材３がオペレータの作業の邪魔になることを回避することができる。
【００４９】
（実施の形態２）
実施の形態１のチェックアウトカウンタは、縦型スキャナを商品販売作業の流れにおける上流側に移動させた場合、その移動に連動してサッカー台から補助部材が突出するものであった。本実施の形態のチェックアウトカウンタは、さらに、突出した補助部材を支持する脚部が補助部材に装着されているものである。
【００５０】
図７は、実施の形態２にかかるチェックアウトカウンタの一例を示す外観図である。図７に示すように、本実施の形態のチェックアウトカウンタは、長方形状のサッカー台１と、サッカー台１の中央付近から立設された縦型スキャナ２と、サッカー台１の内部に引き出し、収容可能な補助部材３と、補助部材３を支持する支持部材として機能する脚部５、６とを主に備えている。ここで、サッカー台１と、縦型スキャナ２と、補助部材３の構成および機能は、実施の形態１と同様であるため説明を省略する。また、図７は、二人制の販売形態で使用される状態を示したチェックアウトカウンタであり、補助部材３がサッカー台１の内部から挿出されて突出した状態となっている。
【００５１】
脚部５、６は、棒状部材５ａ、６ａと車輪５ｂ、６ｂとにより構成された部材であり、棒状部材５ａ、６ａの一方の端部は、補助部材３の商品販売作業の流れにおける上流側の角部近傍に夫々に固定され、補助部材３の角部近傍からサッカー台１の設置面（地面）方向に延出しており、棒状部材５ａ、６ａの他方の端部は、回転可能な車輪５ｂ、６ｂが設けられている。この脚部５、６は、サッカー台１の端面１２から突出した補助部材３を、補助部材３の上面に載置された商品または商品が納められた買物カゴの重量に抗して、荷受面１１と略同一平面に位置付けるよう支持している。
【００５２】
次に、一人制から二人制への販売形態への変更動作について、図７を参照して説明する。一人制から二人制への販売形態を変更する場合、まず、オペレータ等が、例えば図７における縦型スキャナ２を矢印Ａ方向に押すまたは引くことで、縦型スキャナ２を矢印Ａ方向に移動させていき、サッカー台１の孔部１ａの端部に至るまで移動させる。これにより、ＰＯＳ端末と縦型スキャナ２の間隔が広くなるため、二人のオペレータが立つことが可能な領域を確保することができる。
【００５３】
そして、縦型スキャナ２が移動すると、縦型スキャナ２が固定されて一体となっている補助部材３および補助部材３に固定されている脚部５、６は、縦型スキャナ２の移動に連動して矢印Ａ方向に移動する。このとき、回転ローラ３３（図３参照）は、縦型スキャナ２の移動に連動して回転することにより補助部材３の移動を補助する。また、補助部材３に固定された脚部５、６は、下部に車輪５ｂ、６ｂが設けられているため、補助部材３が矢印Ａ方向に移動しやすくなっている。補助部材３が矢印Ａ方向に移動すると、サッカー台１に収容されていた補助部材３が、サッカー台１の上流側の端面１２から突出する。このとき、突出した補助部材３は、サッカー台１の荷受面１１と略同一平面を構成するため、補助部材３の突出部分を荷受面１１と同様に、商品または買物カゴを載置できる領域として確保することができる。また、補助部材３の角部近傍には脚部５、６が備えられているため、補助部材３を、補助部材３の上面に載置された商品または商品が納められた買物カゴの重量に抗して支持することができる。
【００５４】
次に、二人制から一人制への販売形態の変更動作について、図７を参照して説明する。二人制から一人制へ販売形態を変更する場合、まず、オペレータ等が、例えば、図７における縦型スキャナ２を矢印Ａ方向と反対方向に押すまたは引くことで、縦型スキャナ２を矢印Ａ方向と反対方向に移動させていき、サッカー台１の孔部１ａの端部に至るまで移動させる。これにより、ＰＯＳ端末と縦型スキャナ２の間隔が狭くなるため、一人のオペレータが立って作業が行い易い領域のみ確保することができる。
【００５５】
そして、縦型スキャナ２が移動すると、縦型スキャナ２が固定されて一体となっている補助部材３および補助部材３に固定されている脚部５、６は、縦型スキャナ２の移動に連動して矢印Ａ方向と反対方向に移動する。このとき、回転ローラ３３（図３参照）は、縦型スキャナ２の移動に連動して回転することにより補助部材３の移動を補助する。また、補助部材３に固定された脚部５、６は、下部に車輪５ｂ、６ｂが設けられているため、補助部材３が矢印Ａ方向と反対方向に移動しやすくなっている。補助部材３が矢印Ａ方向と反対方向に移動すると、サッカー台１の端部１２から突出していた補助部材３がサッカー台１の内部に収容される。そして、縦型スキャナ２の移動に連動して移動する補助部材３に設けられた脚部５、６が最下流位置まで移動して、サッカー台１の端部１２に対して略一体的に位置付けられる。これにより、補助部材３および脚部５、６がオペレータの作業の邪魔になることを回避できる。
【００５６】
なお、一人制の販売形態および二人制の販売形態を採用した場合の商品販売作業の説明については、実施の形態１と同様であるため、説明を省略する。
【００５７】
このように、実施の形態２のチェックアウトカウンタでは、一人制から二人制の販売形態に変更する場合、縦型スキャナ２を商品販売作業の流れにおける上流側へ移動させるとともに、縦型スキャナ２の移動に連動して補助部材３および脚部５、６をサッカー台１から突出させて荷受面１１と略同一平面を構成することで、二人のオペレータが立つことが可能な領域、および商品を載置する領域を確保でき、縦型スキャナ２のサッカー台１における配置位置を簡易な作業で変更でき利便性を向上させることができる。また、複数の回転ローラ３３、および脚部５、６に設けられた車輪５ｂ、６ｂの回転により補助部材３および脚部５、６の移動の際の摩擦を低減することができるので、縦型スキャナ２、補助部材３、および脚部５、６の移動にかかる力を軽減することができる。
【００５８】
また、実施の形態２のチェックアウトカウンタは、二人制から一人制の販売形態に変更する場合、縦型スキャナ２を商品販売作業の流れにおける下流側に移動させるとともに、縦型スキャナ２の移動に連動して補助部材３がサッカー台１に収容される。そして、縦型スキャナ２の移動に連動して移動する補助部材３に設けられた脚部５、６が最下流位置まで移動して、サッカー台１の端面１２に対して略一体的に位置付けられる。これにより、補助部材３および脚部５、６がオペレータの作業の邪魔になることを回避することができる。なお、本実施の形態では、脚部５、６がサッカー台１の端面１２近傍に位置付けられるが、サッカー台１の内部に収容されるように構成してもよい。
【００５９】
また、実施の形態２のチェックアウトカウンタは、脚部５、６により補助部材３を支持することで、補助部材３と荷受面１１とを略同一平面に位置付けるため、補助部材３の上面に載置された商品や買物カゴの重さにより補助部材３が傾いたり破損することを防止できる。
【００６０】
なお、上記実施の形態では、支持部材として、棒状部材５ａ、６ａと車輪５ｂ、６ｂとにより構成された脚部５、６により補助部材３を支持しているが、これに限定されることはない。すなわち、例えば、補助部材３の商品販売作業の流れにおける上流側の端部の一辺から鉛直下方向に向かって設けられた板状の部材により補助部材３を支持してもよい。その場合、その板状の部材の下部に本実施の形態と同様に車輪を設けて補助部材３が移動し易い構成としてもよい。
【００６１】
（実施の形態３）
実施の形態１のチェックアウトカウンタは、縦型スキャナを商品販売作業の流れにおける上流側に移動させた場合、その移動に連動してサッカー台から補助部材が突出するものであった。そして、実施の形態２のチェックアウトカウンタは、さらに、突出した補助部材を支持する脚部が補助部材に装着されているものであった。これに対し、本実施の形態のチェックアウトカウンタは、突出した補助部材を支持する支持板が補助部材に装着されているものである。
【００６２】
図８は、実施の形態３にかかるチェックアウトカウンタの一例を示す外観図である。また、図９は、実施の形態３にかかるチェックアウトカウンタの一例を示す断面図である。図８、９に示すように、本実施の形態のチェックアウトカウンタは、長方形状のサッカー台１と、サッカー台１の中央付近から立設された縦型スキャナ２と、サッカー台１の内部に引き出し、収容可能な補助部材３と、補助部材３を支持する支持部材として機能する支持板８とを主に備えている。ここで、縦型スキャナ２と、補助部材３の構成および機能は、実施の形態１と同様であるため説明を省略する。また、図８、９は、二人制の販売形態で使用される状態を示したチェックアウトカウンタであり、補助部材３がサッカー台１の内部から挿出されて突出した状態となっている。
【００６３】
サッカー台１は、実施の形態１と同様に、荷受面１１と、側面１３と、側面１３の向かい側の側面（不図示）と、端面１２と、端面１２の向かい側の端面（不図示）と、４本の脚１４と、板状部材１６とから構成された直方体形状の商品荷受台であり、孔部１ａおよび補助部材３を引き出したり、収容する孔部が形成されている。また、本実施の形態のサッカー台１には、端面１２の中央下部に支持板８が係合するための凹状の係合部１５が形成されている。
【００６４】
支持板８は、補助部材３とサッカー台１とに対して着脱自在な板状の部材であって、補助部材３の端部近傍と、サッカー台１の端面１２に形成された係合部１５とに係合することで、補助部材３とサッカー台１とに接続するものである。また、支持板８は、補助部材３とサッカー台１とに接続する際に端部が補助部材３とサッカー台１とに接する辺の長さが、係合部１５に係合された状態で荷受面１１の裏面に当接する長さで形成されている。この支持板８は、サッカー台１の端面１２から突出した補助部材３を、補助部材３の上面に載置された商品または商品が納められた買物カゴの重量に抗して、荷受面１１と略同一平面に位置付けるよう支持している。
【００６５】
次に、一人制から二人制への販売形態への変更動作について図８、９を参照して説明する。一人制から二人制へ販売形態を変更する場合、まず、オペレータ等が支持板８をサッカー台１の端面１２に形成された係合部１５に係合させることで、支持板８を装着する。そして、オペレータ等が、例えば、図８における縦型スキャナ２を矢印Ａ方向に押すまたは引くことで、縦型スキャナ２を矢印Ａ方向に移動させていき、サッカー台１の孔部１ａの端部に至るまで移動させる。これにより、ＰＯＳ端末と縦型スキャナ２の間隔が広くなるため、二人のオペレータが立つことが可能な領域を確保することができる。
【００６６】
そして、縦型スキャナ２が移動すると、縦型スキャナ２が固定されて一体となっている補助部材３は、縦型スキャナ２の移動に連動して矢印Ａ方向に移動する。このとき、回転ローラ３３（図３参照）は、縦型スキャナ２の移動に連動して回転することにより補助部材３の移動を補助する。補助部材３が矢印Ａ方向に移動すると、サッカー台１に収容されていた補助部材３が、サッカー台１の上流側の端面１２から突出する。そして、支持板８は、サッカー台１の端面１２における係合部１５に係合した端部と反対側の端部が、補助部材３の端部近傍に当接することで、補助部材３を支持できる。このとき、突出した補助部材３は、サッカー台１の荷受面１１と略同一平面を構成するため、補助部材３の突出部分を荷受面１１と同様に、商品または買物カゴを載置できる領域として確保することができる。また、支持板８を装着することにより、補助部材３を、補助部材３の上面に載置された商品または商品が納められた買物カゴの重量に抗して支持することができる。
【００６７】
次に、二人制から一人制への販売形態の変更動作について、図８、９を参照して説明する。二人制から一人制へ販売形態を変更する場合、まず、オペレータ等が、例えば、図８における縦型スキャナ２を矢印Ａ方向と反対方向に押すまたは引くことで、縦型スキャナ２を矢印Ａ方向と反対方向に移動させていき、サッカー台１の孔部１ａの端部に至るまで移動させる。これにより、ＰＯＳ端末と縦型スキャナ２の間隔が狭くなるため、一人のオペレータが立って作業が行い易い領域のみ確保することができる。
【００６８】
そして、縦型スキャナ２が移動すると、縦型スキャナ２が固定されて一体となっている補助部材３は、縦型スキャナ２の移動に連動して矢印Ａ方向と反対方向に移動する。このとき、回転ローラ３３（図３参照）は、縦型スキャナ２の移動に連動して回転することにより補助部材３の移動を補助する。補助部材３が矢印Ａ方向と反対方向に移動すると、サッカー台１の端部１２から突出していた補助部材３が、サッカー台１の内部に収容される。そして、オペレータ等が支持板８をサッカー台１の端面１２に形成された係合部１５から外す。これにより、補助部材３および支持板８がオペレータの作業の邪魔になることを回避できる。
【００６９】
なお、一人制の販売形態および二人制の販売形態を採用した場合の商品販売作業の説明については、実施の形態１と同様であるため、説明を省略する。
【００７０】
このように、実施の形態３のチェックアウトカウンタでは、一人制から二人制の販売形態に変更する場合、縦型スキャナ２を商品販売作業の流れにおける上流側へ移動させるとともに、縦型スキャナ２の移動に連動して補助部材３をサッカー台１から突出させて荷受面１１と略同一平面を構成することで、二人のオペレータが立つことが可能な領域、および商品を載置する領域を確保でき、縦型スキャナ２のサッカー台における配置位置を簡易な作業で変更でき利便性を向上させることができる。また、複数の回転ローラ３３の回転により補助部材３の移動の際の摩擦を低減することができるので、縦型スキャナ２の移動にかかる力を軽減することができる。
【００７１】
また、実施の形態３のチェックアウトカウンタは、二人制から一人制の販売形態に変更する場合、縦型スキャナ２を商品販売作業の流れにおける下流側に移動させるとともに、縦型スキャナ２の移動に連動して補助部材３がサッカー台１に収容されるため、補助部材３がオペレータの作業の邪魔になることを回避することができる。
【００７２】
また、実施の形態３のチェックアウトカウンタは、支持板８により補助部材３を支持することで、補助部材３と荷受面１１とを略同一平面に位置付けるため、補助部材３の上面に載置された商品や買物カゴの重さにより補助部材３が傾いたり破損することを防止できる。
【００７３】
なお、各実施の形態では、一人制と二人制の販売形態の変更動作の際に、縦型スキャナ２を商品販売作業の流れに沿う方向（図１における左右方向）に移動させていたが、このとき縦型スキャナ２が移動した後の孔部１ａに蓋部を嵌める構成としてもよい。以下に、図を参照して説明する。
【００７４】
図１０は、チェックアウトカウンタの他の一例を示す外観図である。図１０に示すように、縦型スキャナ２が孔部１ａにおける商品販売作業の流れに沿う方向の最下流側に立設されている場合には、孔部１ａにおける縦型スキャナ２の上流側に孔部１ａを覆うように蓋部１ｂを嵌めることができる。この蓋部１ｂは、プラスチックや木材等で形成されており、埃やゴミ等の異物が孔部１ａを通り補助部材３の上面に付着することを防止するとともに、縦型スキャナ２が孔部１ａ内を移動することを防止する役割を果たしている。また、蓋部１ｂは、孔部１ａに嵌められることで、補助部材３の上面を平面状に保つ役割も果たしている。
【００７５】
一人制から二人制へ販売形態を変更する場合は、まず蓋部１ｂを外してから、縦型スキャナ２を移動する。そして、縦型スキャナ２が孔部１ａにおける商品販売作業の流れに沿う方向の最上流側に立設された場合には、孔部１ａにおける縦型スキャナ２の下流側の孔部１ａを覆うように、蓋部１ｂを嵌めることができる。また、二人制から一人制への販売形態を変更する場合も同様に、まず蓋部１ｂを外してから縦型スキャナ２を移動する。
【００７６】
また、各実施の形態では、縦型スキャナがサッカー台の荷受面に対して略平行な面である板状部材１６上を商品販売作業の流れに沿う方向（図１における左右方向）に移動可能に設けられているが、これに限定されることはない。図１１、図１２は、チェックアウトカウンタの他の一例を示す外観図である。図１１は、一人制の販売形態で使用される状態を示したチェックアウトカウンタであり、補助部材３０がサッカー台１０の荷受面１１上に載置されて使用可能な状態となっている。一方、図１２は、二人制の販売形態で使用される状態を示したチェックアウトカウンタであり、補助部材３０がサッカー台１０の端部から突出した状態となっている。
【００７７】
また、補助部材３がサッカー台１の内部に収容されているが、図１１、１２に示すように、補助部材３０がサッカー台１０の上部を覆うように設けられ、補助部材３０がサッカー台１０の荷受面となる構成とした場合に、縦型スキャナ２を補助部材３０に固定すると、縦型スキャナ２が補助部材３０の荷受面１１上を商品販売作業の流れに沿う方向に移動可能に設けることができる。
【００７８】
また、各実施の形態では、補助部材３が商品販売作業の流れに沿う方向に移動可能となっており、一人制の販売形態を採用する場合にはサッカー台１の内部に収容することが可能な構成となっているが、これに限定されることはない。図１３、図１４は、チェックアウトカウンタの他の一例を示す外観図である。図１３は、一人制の販売形態で使用される状態を示したチェックアウトカウンタであり、補助部材３２が略直角に屈折した状態となっている。一方、図１４は、二人制の販売形態で使用される状態を示したチェックアウトカウンタであり、補助部材３２がサッカー台１の端部からと突出した状態となっている。
【００７９】
図１３に示すように、一人制の販売形態を採用する場合には補助部材３２がサッカー台１の端面１２に沿ってサッカー台１に対して略直角に屈折する構成としてもよい。この場合は、縦型スキャナ２を商品販売作業の流れにおける上流側（矢印Ａ方向）に向けて移動させると、図１４に示すように、縦型スキャナ２の移動に連動して、サッカー台１の端面１２に沿った補助部材３２が矢印Ｃ方向に向かってサッカー台１に対して略平行になるように移動して荷受面１１となる。このように動作する機構としては、例えば、サッカー台１の内部に縦型スキャナ２と補助部材３２の屈折する部分とを接続するワイヤーを設け、縦型スキャナ２を商品販売作業の流れにおける上流側に向けて移動させると、該移動によりワイヤーが引っ張られて、その引っ張り力により補助部材３２を移動させサッカー台１に対して略平行になるまで移動させるものなどがある。
【図面の簡単な説明】
【００８０】
【図１】実施の形態１にかかるチェックアウトカウンタの一例を示す外観図である。
【図２】実施の形態１にかかるチェックアウトカウンタの一例を示す外観図である。
【図３】実施の形態１にかかるチェックアウトカウンタの一例を示す断面図である。
【図４】実施の形態１にかかるチェックアウトカウンタの一例を示す上面図である。
【図５】実施の形態１の補助部材３の一部を示す拡大図である。
【図６】実施の形態１の補助部材３の一部を示す拡大図である。
【図７】実施の形態２にかかるチェックアウトカウンタの一例を示す外観図である。
【図８】実施の形態３にかかるチェックアウトカウンタの一例を示す外観図である。
【図９】実施の形態３にかかるチェックアウトカウンタの一例を示す断面図である。
【図１０】チェックアウトカウンタの他の一例を示す外観図である。
【図１１】チェックアウトカウンタの他の一例を示す外観図である。
【図１２】チェックアウトカウンタの他の一例を示す外観図である。
【図１３】チェックアウトカウンタの他の一例を示す外観図である。
【図１４】チェックアウトカウンタの他の一例を示す外観図である。
【図１５】従来技術のチェックアウトカウンタおよびＰＯＳ端末の一例を示す外観図である。
【符号の説明】
【００８１】
１    サッカー台
１ａ    孔部
１ｂ    蓋部
２    縦型スキャナ
３、３０、３２    補助部材
５、６    脚部
５ａ、６ａ    棒状部材
５ｂ、６ｂ    車輪
８    支持板
１１    荷受面
１２    端面
１３    側面
１４    脚
１５    係合部
１６    板状部材
２１    読取窓
３１    荷受部材
３３    回転ローラ
３４    接続部材
３５    固定部材
３６、３７    回転ローラ
３８    ストッパー受け部
３９    ストッパー
３９ａ、３９ｂ    端部
１００    サッカー台
２００    バーコードスキャナ
３００    端末
４００    端末台
【図１】
2010044554.tif 000003
【図２】
2010044554.tif 000004
【図３】
2010044554.tif 000005
【図４】
2010044554.tif 000006
【図５】
2010044554.tif 000007
【図６】
2010044554.tif 000008
【図７】
2010044554.tif 000009
【図８】
2010044554.tif 000010
【図９】
2010044554.tif 000011
【図１０】
2010044554.tif 000012
【図１１】
2010044554.tif 000013
【図１２】
2010044554.tif 000014
【図１３】
2010044554.tif 000015
【図１４】
2010044554.tif 000016
【図１５】
2010044554.tif 000017